(57)【特許請求の範囲】
【請求項１】
ドアクローザ本体と、ブラケットと、一端が該ドアクローザ本体の回転軸に連結され、他端が該ブラケットに連結されるリンク機構とを有するドアクローザにおいて、
該ブラケットは底面に凹部が形成される支持金具を備え、
該ブラケットに対する位置を調整可能なスライド部材が設けられ、
該スライド部材は、本体部と、該支持金具の底面に当接して該支持金具の凹部を塞ぐ延出部と、該リンク機構の他端が連結される軸部とを備え、
該スライド部材の位置を調整する為の調整ネジが該支持金具の凹部内において該スライド部材の本体部に螺合されており、該調整ネジの操作により該スライド部材がスライド移動することを特徴とするドアクローザ。
【請求項２】
該支持金具は該ブラケットと一体成形されていることを特徴とする請求項１に記載のドアクローザ。
【発明の詳細な説明】
【技術分野】
【０００１】
本発明は、開いたドアをゆっくりと自動的に閉めるドアクローザ（ドア自閉装置）の改良に関し、特に扉面やドアクローザ本体に対するリンク機構の位置関係を調整可能なドアクローザに関する。
【背景技術】
【０００２】
一般に、ドアクローザは、作動油が充填された密閉空間を有するハウジングを備え、該ハウジングの密閉空間には、コイルスプリングにより付勢されたピストンが往復移動可能に配置されている。また、上記ピストンにはラック・ピニオン機構が組み付けられ、該ラック・ピニオン機構のピニオンには、回転軸が上記ハウジングを貫挿するように回転一体に連結されている。さらに、この回転軸の上端には、リンク機構の一端が連結され、該リンク機構の他端はブラケットを介して建物のドア開口部の上枠側に連結されている。
【０００３】
そして、扉を開操作すると、その回転動作が上記リンク機構を介して回転軸に伝達され、さらに上記ラック・ピニオン機構を介してピストンの直線動作に変換される。これにより、上記ピストンがハウジングの密閉空間を移動することでコイルスプリングを圧縮し、扉から手を離すと、この圧縮されたコイルスプリングの反発力により扉がゆっくりと自動的に閉まるようになっている。この扉の閉速度は、ピストンの移動に連動して流動する作動油の流量を速度調整弁で制御することで調整される。
【０００４】
ところで、この種のドアクローザは、下記特許文献１のように、リンク機構を構成する２つのアームの内の少なくとも一方にアームの長さを調節する為の構成を備えている。アームの長さを調整する為の構成を備えることから、ドアクローザの施工時に扉や扉枠の寸法精度や取付穴の位置に問題があったとしても、アームの長さを調整して扉面やドアクローザ本体に対するリンク機構の位置関係を本来のものに調整することができる。
【先行技術文献】
【特許文献】
【０００５】
【特許文献１】特開平７−２６９２１９号公報
【発明の概要】
【発明が解決しようとする課題】
【０００６】
意匠性を重視するドアクローザの場合、リンク機構を構成する２つのアームの双方を継ぎ目の無い形状にすることが求められる。しかし、アームの長さを調整する為の構成は、アームを内側連杆と外側連杆の組とし、両連杆を互いに伸縮させるものであることから、リンク機構にアームの長さを調整する為の構成を設けた場合にはアームを継ぎ目の無い形状にすることができないという問題を有している。リンク機構にアームの長さを調整する為の構成を設けず、ブラケットの取付穴を長穴にしておくことで扉面やドアクローザ本体に対するリンク機構の位置関係を調整することも考えられるが、扉の急激な開閉等によりブラケットがずれることがあり、実用性が無い。
【０００７】
本発明はかかる点に鑑みてなされたものであり、その目的とするところは、リンク機構にアームの長さを調整する為の構成を設けない場合であっても扉面やドアクローザ本体に対するリンク機構の位置関係を調整することができるドアクローザを提供することである。
【課題を解決するための手段】
【０００８】
本発明は、ドアクローザ本体２と、ブラケット３０と、一端２１ａが該ドアクローザ本体２の回転軸に連結され、他端２２ｂが該ブラケット３０に連結されるリンク機構２０とを有するドアクローザ１において、該ブラケット３０は底面３１ｂに凹部３１Ｂが形成される支持金具３１を備え、該ブラケット３０に対する位置を調整可能なスライド部材４０が設けられ、該スライド部材４０は、本体部４０Ａと、該支持金具３１の底面３１ｂに当接して該支持金具３１の凹部３１Ｂを塞ぐ延出部４０Ｂと、該リンク機構２０の他端２２ｂが連結される軸部４０Ｃとを備え、該スライド部材４０の位置を調整する為の調整ネジ３２が該支持金具３１の凹部３１Ｂ内において該スライド部材４０の本体部４０Ａに螺合されており、該調整ネジ３２の操作により該スライド部材４０がスライド移動するドアクローザである。
【０００９】
ここで、該支持金具３１は該ブラケット３０と一体成形されていることが好ましい。
【発明の効果】
【００１１】
本発明によれば、ブラケットに対する位置を調整可能な移動部材を有し、この移動部材にリンク機構が連結されていることから、リンク機構を構成するアームの長さが調整できない場合であっても扉面やドアクローザ本体に対するリンク機構の位置関係を調整することができる等の効果を奏する。
【図面の簡単な説明】
【００１２】
【図１】本発明の実施形態に係るドアクローザを扉と上枠に取り付けた状態の平面図  である。
【図２】図１の正面図である。
【図３】図１の側面図である。
【図４】本発明の実施形態に係るドアクローザの要部分解斜視図である。
【図５】本発明の実施形態に係るドアクローザの要部断面図である。
【図６】本発明の実施形態に係るドアクローザの要部断面図であり、スライド部材が  スライドした状態を示す図である。
【図７】本発明の実施形態に係るドアクローザを扉と上枠に取り付けた状態の平面図  であり、ブラケットの取り付け位置が左方向にずれた状態を示す図である。
【図８】本発明の実施形態に係るドアクローザを扉と上枠に取り付けた状態の平面図          であり、ブラットの取り付け位置が右方向にずれた状態を示す図である。
【発明を実施するための形態】
【００１３】
本発明の実施形態について図面に基づいて説明する。図１〜図３において、１０１は建物の扉開口部を示し、該扉開口部１０１は、上枠１０２、左右の一対の竪枠１０３及び下枠（図示せず）で矩形に囲まれた空間で構成され、扉１０４が上記扉開口部１０１を開閉可能にヒンジ１０５を介して一方の竪枠１０３に取り付けられている。上記扉１０４は、この発明の実施形態に係るドアクローザ１により開状態からゆっくりと自動的に閉まるようになっている。
【００１４】
ドアクローザ１は、ドアクローザ本体としてのハウジング２を有している。図１に示すように、ハウジング２は取付金具３を介して扉１０４上端に取り付けられる。図３に示すように、取付金具３は、この取付金具３を挿通するネジ４を扉１０４内部の取付板１０６にねじ込むことで扉１０４上端に取り付けられている。図１に示すように、ハウジング２にはネジ挿通孔２ａが形成されており、取付金具３にもネジ孔３aが形成されている。取付金具３の引掛部（図示せず）をハウジング２のピン（図示せず）に引っ掛けた後、ネジ５をハウジング２のネジ挿通孔２ａと取付金具６の２個のネジ孔３ａに螺合させることにより、ハウジング２は取付金具３を介して扉１０４上端に取り付けられている。尚、ハウジング２内の構成については背景技術において説明した構成と同様であるので説明を省略する。
【００１５】
ハウジング２内に組み込まれた図示せぬラック・ピニオン機構のピニオンに回転一体に連結された回転軸（図示せぬ）の上端には、リンク機構２０の一端が連結されるととともに、該リンク機構２０の他端は建物の扉開口部１０１の上枠１０２側に連結されている。具体的には、リンク機構２０は、メインアーム２１と連結アーム２２とからなり、メインアーム２１の一端２１ａが図示せぬ回転軸の上端の軸（図示せぬ）により連結され、メインアーム２１の他端２１ｂには、連結アーム２２の一端２２aが軸２３周りに回転自在に連結されている。そして、図２及び図３に示すように、上枠１０２にはブラケット３０が４個のネジ１５を上枠１０２内部の取付板１０７にねじ込むことで取り付けられており、このブラケット３０の先端に位置調整可能に設けられたスライド部材４０に連結アーム２２の他端２２ｂが回転自在に連結されている。メインアーム２１と連結アーム２２の双方は継ぎ目の無いフラットな形状となっている。
【００１６】
図４に示すように、ブラケット３０の基端には上述のネジ１５に挿通されるネジ挿通孔３０ａが形成され、先端には四角形状の孔３０ｂが形成されている。３１は支持金具であり、この支持金具３１の上面３１aには略四角形状の突出部３１Ａが突出形成されている。突出部３１Ａをブラケット３０の孔３０ｂに圧入カシメ又は溶接することにより、支持金具３１はブラケット３０と一体化されている。
【００１７】
図４及び図５に示すように、支持金具３１の底面３１ｂにはスライド部材４０を収容するための凹部３１Ｂが形成されている。また、支持金具３１の左側面３１ｃと右側面３１ｄには、後述する調整ネジ３２が挿入される孔３１Ｃが凹部３１Ｂと連通するように形成され、支持金具３１の上面３１ａには、後述するピン３３を圧入する為の孔３１Ｄが右側面３１ｄ側の孔３１Ｃと連通するように形成されている。さらに、支持金具３１の後面には後述の止めネジ３４と螺合するネジ孔３１Ｅが凹部３１Ｂと連通するように形成されている。
【００１８】
スライド部材４０は、後述の調整ネジ３２が螺合するネジ孔４０ａが形成された本体部４０Ａと、この本体部４０Ａの下端から水平方向に延出するように形成された延出部４０Ｂと、この延出部４０Ｂから下方に向けて突出するように形成された軸部４０Ｃとを有している。スライド部材４０が後述の調整ネジ３２により支持金具３１に取り付けられると、スライド部材４０の本体部４０Ａは支持金具３１の凹部３１Ｂ内に収容され、スライド部材４０の延出部４０Ｂは支持金具３１の底面３１ｂに当接して凹部３１Ｂを塞ぐようになっている。尚、スライド部材４０は本発明の移動部材に相当する。
【００１９】
調整ネジ３２は、ネジ部３２Ａと、切り欠き部３２Ｂと、第一操作部３２Ｃと、第二操作部３２Ｄとを有している。ネジ部３２Ａは、支持金具３１の凹部３１Ｂに収容されたスライド部材４０のネジ孔４０aに螺合されている。切り欠き部３２Ｂと第一操作部３２Ｃは、支持金具３１の右側面３１ｄ側の孔３１Ｃ内に配設され、切り欠き部３２Ｂには孔３１Ｄに圧入されたピン３３（図４参照）が位置して調整ネジ３２の左右方向（扉面１０４ａと平行な方向）への移動を規制している。第二操作部３２Ｄは、支持金具３１の左側面３１ｃ側の孔３１Ｃ内に配設されている。第一操作部３２Ｃと第二操作部３２Ｄは、支持金具３１の右側面３１ｄと左側面３１ｃにそれぞれ露出しており、工具により操作可能である。第一操作部３２Ｃ又は第二操作部３２Ｄが工具により操作されると、調整ネジ３２が回転し、図６に示すように、スライド部材４０が左右方向にスライド移動する。調整ネジ３２を操作することで、ブラケット３０に対するスライド部材４０の位置を左右方向の所定範囲において調整することができるように構成されている。尚、調整ネジ３２は本発明の位置調整手段に相当する。
【００２０】
図４の３４は止めネジであり、この止めネジ３４は支持金具３１の後面に形成されたネジ孔３１Ｅに螺合されている。止めネジ３４を締め込んでその先端をスライド部材４０に当接させた場合には、スライド部材４０を支持金具３１に強固に固定することができるよう構成されている。止めネジ４１を設けることにより、スライド部材４０の位置を調整した後に、何らかの理由でスライド部材４０が移動してしまうことを確実に防ぐことができる。
【００２１】
連結アーム２２の孔部２２ｃには軸受５０が配設されている。この軸受５０にはスライド部材４０の軸部４０Ｃが挿入され、ワッシャ５１を介して固定ネジ５２をスライド部材４０の軸部４０Ｃｃにねじ込むことにより、連結アーム２２の他端２２ｂをスライド部材４０に連結している。連結アーム２２は、スライド部材４０の軸部４０Ｃに軸支されて軸部４０Ｃ周りを回転自在となっている。尚、軸部４０Ｃは本発明の軸に相当する。
【００２２】
このように構成されたドアクローザ１は、ブラケット３０の上枠１０２への取付位置が左方向にずれてしまい、連結アーム２２が前方に起き上がった状態（図７参照）となった場合には、調整ネジ３２を操作してスライド部材４０を右方向にスライドさせることにより、スライド部材４０の軸部４０Ｃに連結された連結アーム２２を移動させ、連結アーム２２が扉面１０４aやハウジング２の前面２ｂと平行となる状態（図１参照）に調整することができる。また、ブラケット３０の上枠１０２への取付位置が右方向にずれてしまい、連結アーム２２が後方に倒れた状態（図８参照）となった場合には、調整ネジ３２を操作してスライド部材４０を左方向にスライドさせることにより、スライド部材４０の軸部４０Ｃに連結された連結アーム２２を移動させ、連結アーム２２が扉面１０４ａやハウジング２の前面２ｂと平行となる状態（図１参照）に調整することができる。
【００２３】
本発明の実施形態のドアクローザ１は、リンク機構２０を構成するメインアーム２１と連結アーム２２の双方が継ぎ目の無い形状とされているのでリンク機構２０の意匠性がよい。そして、ドアクローザ１の取付位置が左右方向にずれた場合であってもブラケット３０に対するスライド部材４０の位置を左右方向で調整することにより、扉面１０４ａやハウジング２に対するリンク機構２０の位置関係を本来のものに調整することができる。
【００２４】
本発明によるドアクローザは、上述した実施形態に限定されず、特許請求の範囲に記載した範囲で種々の変形や改良が可能である。例えば、上述した実施形態では、ブラケット３０と支持金具３１は別部品であったが、一体成形してもよい。
【００２５】
また、上述した実施形態では、スライド部材４０は左右方向（扉面１０４aと平行な方向）に移動するように構成されていたが、スライド部材を前後方向（扉面と直交する方向）に移動するように構成し、ブラケットに対するスライド部材の位置を前後方向で調整するようにしてもよい。
【００２６】
また、上述した実施形態では、調整ネジ３２には２つの操作部（第一操作部３２Ｃ及び第二操作部３２Ｄ）が設けられていたが、操作部を一つだけ設けるようにしてもよい。
【符号の説明】
【００２７】
１      ドアクローザ
２      ハウジング（ドアクローザ本体）
２０    リンク機構
２１    メインアーム
２２    連結アーム
３０    ブラケット
３２    調整ネジ（位置調整手段）
４０    スライド部材（移動部材）
４０Ｃ  軸部（軸）
【図１】
0005588639.tif 000002
【図２】
0005588639.tif 000003
【図３】
0005588639.tif 000004
【図４】
0005588639.tif 000005
【図５】
0005588639.tif 000006
【図６】
0005588639.tif 000007
【図７】
0005588639.tif 000008
【図８】
0005588639.tif 000009